(57)【要約】【課題】ドライバーに取り付けることによって、ボルト・ナットの組付けや取外しに用いるソケットレンチとして使用できるようにしたドライバー用ソケットを提供する。【解決手段】ドライバービット１１の外周に沿って軸方向に移動可能で且つドライバービット１１から抜き出し可能であるが回転不能なソケット本体２をドライバービット１１に外嵌合し、ソケット本体２の両端部にはソケット部３，４を形成してなるドライバー用ソケット１。【選択図】図６
2007190677.tif 000002
【特許請求の範囲】
【請求項１】
ドライバービットの外周に沿って軸方向に移動可能で且つドライバービットから抜き出し可能であるが回転不能なソケット本体をドライバービットに外嵌合し、ソケット本体の両端部にはソケット部を形成してなるドライバー用ソケット。
【請求項２】
ドライバービットの外周に沿って軸方向に移動可能で且つドライバービットから抜き出し可能であるが回転不能なソケット本体をドライバービットに外嵌合し、ソケット本体の両端部には内径の互いに異なったソケット部を形成してなるドライバー用ソケット。
【請求項３】
ソケット本体に、ドライバービットの外周に形成した係合用凹部に係嵌可能な係合手段を設けて、各ソケット部が使用可能な位置でソケット本体をドライバービットに保持するようにしてなる請求項１または２に記載のドライバー用ソケット。
【請求項４】
係合手段は、ソケット本体の所要箇所に設けた窓に挿入配置された球体と、球体を窓から内方へ突入させてドライバービットの係合用凹部に係嵌させるように付勢するばねとからなる請求項３に記載のドライバー用ソケット。
【請求項５】
係合手段は、ソケット本体の所要箇所に設けた窓に挿入配置された球体と、球体を窓から内方へ押圧突入させてドライバービットの係合用凹部に係嵌させるようソケット本体に軸方向に摺動可能に嵌合したスリーブとからなる請求項３に記載のドライバー用ソケット。
【請求項６】
ソケット本体の両端ソケット部の外周を正多角形状に形成すると共に、両端ソケット部の外径を互いに異なった径に形成してなる請求項１〜５の何れかに記載のドライバー用ソケット。
【請求項７】
ドライバービットの基端部であるハンドル先端部に、ドライバービットに嵌合されるソケット本体を摩擦嵌合させて該ソケット本体をハンドル先端部に収容するための突起部を設けてなる請求項１〜６の何れかに記載のドライバー用ソケット。
【発明の詳細な説明】
【技術分野】
【０００１】
本発明は、ドライバーのドライバービットに取り付けて、ボルト・ナットの組付け又はその取外しに用いることのできるドライバー用ソケットに関する。
【背景技術】
【０００２】
従来一般に使用されているドライバーには、ハンドル（握り部）にドライバービットを一体的に取り付けた固定式ドライバー、あるいは共通のハンドルに数種類のドライバービットを着脱式に取り付けるようにした差し替えドライバー等があるが、いずれのドライバーにあっても、ねじ回し以外には使用できない。
【発明の開示】
【発明が解決しようとする課題】
【０００３】
本発明は、上記のようなドライバーに取り付けることによって、ボルト・ナットの組付けや取外しに用いるソケットレンチとして使用できるようにしたドライバー用ソケットを提供することを主たる目的とする。
【課題を解決するための手段】
【０００４】
請求項１に係る発明のドライバー用ソケット１は、ドライバービット１１の外周に沿って軸方向に移動可能で且つドライバービット１１から抜き出し可能であるが回転不能なソケット本体２をドライバービット１１に外嵌合し、ソケット本体２の両端部にはソケット部３，４を形成してなるものである。
【０００５】
請求項２に係る発明のドライバー用ソケット１は、ドライバービット１１の外周に沿って軸方向に移動可能で且つドライバービット１１から抜き出し可能であるが回転不能なソケット本体２をドライバービット１１に外嵌合し、ソケット本体２の両端部には内径の互いに異なったソケット部３，４を形成してなるものである。
【０００６】
請求項３は、請求項１または２に記載のドライバー用ソケット１において、ソケット本体２に、ドライバービット１１の外周に形成した係合用凹部１１ｂに係嵌可能な係合手段５，５Ａを設けて、各ソケット部３，４が使用可能な位置でソケット本体２をドライバービット１１に保持するようにしてなるものである。
【０００７】
請求項４は、請求項３に記載のドライバー用ソケット１において、係合手段５は、ソケット本体２の所要箇所に設けた窓６に挿入配置された球体７と、球体７を窓６から内方へ突入させてドライバービット１１の係合用凹部１１ｂに係嵌させるように付勢するばね８とからなるものである。
【０００８】
請求項５は、請求項３に記載のドライバー用ソケット１において、係合手段５Ａは、ソケット本体２の所要箇所に設けた窓６に挿入配置された球体７と、球体７を窓６から内方へ押圧突入させてドライバービット１１の係合用凹部１１ｂに係嵌させるようソケット本２に軸方向に摺動可能に嵌合したスリーブ２５とからなるものである。
【０００９】
請求項６は、請求項１〜５の何れかに記載のドライバー用ソケット１において、ソケット本体２の両端ソケット部３，４の外周を正多角形状に形成すると共に、両端ソケット部３，４の外径を互いに異なった径に形成したものである。
【００１０】
請求項７は、請求項１〜６の何れかに記載のドライバー用ソケット１において、ドライバービット１１の基端部であるハンドル１２先端部に、ドライバービット１１に嵌合されるソケット本体２を摩擦嵌合させて該ソケット本体２をハンドル１２先端部に収容するための突起部２６を設けてなるものである。
【発明の効果】
【００１１】
請求項１に係る発明のドライバー用ソケットは、ドライバービットに沿って軸方向に移動可能で且つ抜き出し可能であるが回転不能なソケット本体をドライバービットに外嵌合し、ソケット本体の両端部にソケット部を形成したものであるから、ソケット本体をドライバービットに外嵌合させるだけで、そのドライバーをソケットレンチとして活用することができる。
【００１２】
また、このドライバー用ソケットは、ハンドルにドライバービットを一体的に取り付けた固定式ドライバーや、ハンドルにドライバービットを着脱式に取り付ける差し替え式ドライバー等の一般的なドライバーに取り付けて簡便に使用でき、しかも構造が簡単で１本の中空軸状体からなるため、安価に製作できると共に、携帯に便利である。
【００１３】
また、ソケット本体を上記ドライバーに取り付けて、捩じ切りトルクを加えることにより捩じ切り可能としたボルトの締め付け作業を行う場合には、当該ボルトの頭部にソケット本体のソケット部を嵌合して締め込み、捩じ切りトルクを与えて、ボルト頭部側を捩じ切った後、ドライバーのハンドルによって、ソケット部に嵌まり込んだボルトの頭部を押し出すようにすれば、そのボルト頭部を簡単に取り出すことができる。
【００１４】
請求項２に係る発明のドライバー用ソケットは、ドライバービットに沿って軸方向に移動可能で且つ抜き出し可能であるが回転不能なソケット本体をドライバービットに外嵌合し、ソケット本体の両端部に内径の互いに異なったソケット部を形成したものであるから、ソケット本体をドライバービットに外嵌合させるだけで、そのドライバーをソケットレンチとして活用することができると共に、ソケット本体の両端部に形成した内径の異なる両ソケット部によって大小２種類のボルト・ナットサイズに適用させることができる。
【００１５】
請求項３に記載のように、ソケット本体に、ドライバービットの外周に形成した係合用凹部に係嵌可能な係合手段を設けることによって、各ソケット部が使用可能な位置でソケット本体をドライバービットに保持でき、それにより使用時にソケット本体が移動せず、作業がし易くなり、また持ち運びの際にソケットがドライバービットから脱落しないため、ソケットを常時ドライバービットに取り付けておくことができ、携帯性が良い。
【００１６】
請求項４に記載のように、係合手段が、ソケット本体に設けた窓に挿入配置された球体と、球体を窓から内方へ突入させてドライバービットの係合用凹部に係嵌させるように付勢するばねとからなるものによれば、ソケット本体をドライバービット上の所定位置に確実に保持できると共に、構成が簡単で、製作が容易となる。
【００１７】
請求項５に記載のように、係合手段は、ソケット本体の所要箇所に設けた窓に挿入配置された球体と、球体を窓から内方へ押圧突入させてドライバービットの係合用凹部に係嵌させるようソケット本体に軸方向に摺動可能に嵌合したスリーブとからなるものによれば、ソケット本体をドライバービット上の所定位置に確実に保持できると共に、スリーブを摺動操作することによって軽くソケット本体をドライバービットから移動させることができる。
【００１８】
請求項６に記載のように、ソケット本体の両端ソケット部の外周を正多角形状に形成すると共に、両端ソケット部の外径を互いに異なった径に形成した場合には、このドライバー用ソケットのソケット部を、一般に使用されるソケットレンチのソケット部に内嵌することよって、ロング（長）ソケットとして活用するでき、締め付けたり取り外したりするナットやボルト頭が奥まった場所に位置している場合に便利である上、このソケットの両ソケット部をそれぞれ内径の異なったソケットレンチのソケット部に内嵌できるから、上記両ソケット部によって２種類のボルト・ナットサイズに適用させることができる。
【００１９】
請求項７に記載のように、ドライバービットの基端部であるハンドル先端部に、ドライバービットに嵌合されるソケット本体を摩擦嵌合させて該ソケット本体をハンドル先端部に収容するための突起部を設けることよって、不使用時にはソケット本体をドライバーに嵩高になることなく収容しておくことができる。
【発明を実施するための最良の形態】
【００２０】
図１は、従来より使用されている差し替え式ドライバー１０を構成するドライバービット１１及びハンドル（握り部）１２と、そのドライバービット１１に取り付けられる本発明のドライバー用ソケット１とを一列状に並べた状態を示し、図２は、一実施形態のドライバー用ソケット１の外観斜視図、図３はソケット１の縦断正面図、図４はその横断面図である。図１に示すように、ドライバー１０のドライバービット１１は、例えば十字ねじ回しビットからなるもので、両端部１１ａ，１１ａがそれぞれ十字形に形成されると共に、その両端部１１ａ，１１ａの間が断面六角形に形成され、そして各十字形端部１１ａの手前側に断面円弧状の係合用凹部１１ｂが周設されている。ハンドル１２は、ドライバービット１１の端部をその全長の３分の１程度まで回転不能にして且つ挿脱可能に挿入する挿着孔部１２ａを有する。なお、本発明におけるドライバー１０は、図１に示す構造のものに限らず、ハンドル１２とドライバービット１１とが一体的になっている周知の構造のものも含まれることは言うまでもない。
【００２１】
また、後述のようにドライバービット１１の基端部であるハンドル１２の先端部にはソケット１をハンドル１２の先端部に保持して収容しておくための突起部２６が形成されている。
【００２２】
ドライバー用ソケット１は、ドライバービット１１の外周に沿って軸方向に移動可能で且つドライバービット１１から抜き出し可能であるが回転不能なソケット本体２をドライバー１のドライバービット１１に外嵌合するようにしたもので、このソケット本体２の両端部にはソケット部３，４が設けられ、両ソケット部３，４は、同径でもよいが、好ましくはその内径が互いに異なった径に形成されている。ソケット本体２の内周２ａは、ドライバービット１１に回転不能状態で軸方向に移動できるように、ドライバービット１１の断面形状に対応する断面六角形状（図４参照）に形成されている。
【００２３】
両ソケット部３，４の内周３ａ，４ａ及び外周３ｂ，４ｂは、それぞれ図２の（Ａ）に示すように六角形状に形成されるか、あるいは同図の（Ｂ）に示すように十二角形に形成され、あるいはまた四角形、八角形その他の正多角形に形成されている。また、両ソケット部３，４の外周３ｂ，４ｂは、その外径が互いに異なった径に形成されている。
【００２４】
また、ソケット本体２の長手方向中央部には、ドライバービット１１の両端部外周にそれぞれ形成された係合用凹部１１ｂに係嵌可能な係合手段５が設けられている。この係合手段５は、ソケット１の使用に際してソケット本体２をドライバービット１１に外嵌させたとき、ソケット本体２をドライバービット１１上の所要位置、即ちソケット部３，４が使用できる位置に位置決めしてその位置に保持するためのもので、図３及び図４に示すように、ソケット本体２の長手方向中央部の所要箇所に設けられた窓６に挿入配置された球体７と、この球体７の一部に係合した状態でソケット本体２に外嵌合されていて、球体７を窓６から内方へ突入させてドライバービット１１の係合用凹部１１ｂに係嵌させるように付勢する略Ｃ字形リング状のばね８とからなる。尚、ばね８は、通常はソケット本体２の外周面に形成された浅い周溝２ｂに嵌合される。
【００２５】
従って、ドライバー用ソケット１のソケット本体２をドライバービット１１に外嵌合させる際に、球体７は、嵌合当初はビット１１の外周面により図４の仮想線図示のようにリング状ばね８に抗して窓６の外側へ押し出されているが、ビット１１の係合凹部１１ｂと係嵌すると、図３及び図４の実線図示のようにばね８の付勢力で係合凹部１１ｂとの係合位置に保持され、それによりソケット１を一方のソケット部３がドライバービット１１の先端部１１ａより突出して使用可能な位置に保持する。
【００２６】
図５は、ソケット本体２に設ける他の実施形態の係合手段５Ａを示すもので、前記実施形態と同じように、ソケット本体２の長手方向中央部の所要箇所に設けられた窓６に挿入配置された球体７が設けられており、ソケット本体２の外周部に軸方向に摺動可能なスリーブ２５が嵌合されており、該スリーブ２５の内周面には突起２７と該突起２７に対して肉薄部である凹部２８とが設けられ、該スリーブ２５は、該スリーブ２５とソケット本体２に設けたばね受け２９との間に介装したばね３０に付勢されて、突起２７はソケット本体２の窓６に嵌合されている球体７の位置にあって、該球体７を窓６から内方へ押圧突入させてドライバービット１１の係合用凹部１１ｂに係嵌させるようになっている。その他の構造は同一符号を付して示すように前記実施形態と同じである。そしてドライバービット１１からソケット本体２を移動させるためには、スリーブ２５を図示の鎖線に示すように、軸方向に摺動させることによってスリーブ２５の凹部２８が球体７の位置に来るため、該球体７は凹部２８側に変位してドライバービット１１の係合用凹部１１ｂから脱出することになり、これによってソケット本体２ドライバービット１１に対して軸方向に自由に移動させることができる。
【００２７】
図６は、上記のように構成されるドライバー用ソケット１の使用方法を示すもので、この図の（Ａ）は、当該ソケット１の両ソケット部３，４のうち、穴径の大きい方の径大ソケット部３をレンチ用ソケットとして使用する場合である。即ち、この場合には、ドライバービット１１の一端側をハンドル１２の挿着孔部１２ａに差し込んで固定した後、このビット１１の他端側に、ドライバー用ソケット１を穴径の小さい径小ソケット部４側から外嵌合して、このソケット１をソケット部４が使用可能な位置で係合手段５によりビット１１上に保持し、図示のような状態とする。しかして、この状態からドライバー１０のハンドル１２を握って、ドライバービット１１に保持されたソケット１の径大ソケット部３を、これに対応する径の取付ナットＮ１に嵌合することによって、このナットＮ１の締め付け又は取外し作業を行うことができる。
【００２８】
図６の（Ｂ）は、同ソケット１の径小ソケット部４をレンチ用ソケットとして使用する場合を示す。この場合には、同図（Ａ）のようにドライバービット１１に取り付けられているソケット１をそのビット１１から一旦引き抜き、このソケット１を径大ソケット部３からビット１１に外嵌合して、径小ソケット部４が使用できる位置に差し替え、このソケット１を係合手段５によりビット１１上に保持する。しかして、この状態から図５（Ａ）の同様にドライバー１０のハンドル１２を握って、ドライバービット１１に保持されたソケット１の径小ソケット部４を、これに対応する径の取付ナットＮ２に嵌合することによって、このナットＮ２の締め付け又は取外し作業を行うことができる。
【００２９】
なお、前述のようにハンドル１２の先端部には突起部２６が突設されており、ソケット１の不使用時には、該ソケット１を図示鎖線で示すように突起部２６側に移動させて、ソケット本体２を突起部２６に若干強く摩擦嵌合させて、その摩擦力によってソケット１をハンドル１の先端部側、即ちドライバービット１１の基端部に保持させておくことによって嵩高になることなく収容することができる。
【００３０】
図７及び図８は、本発明のドライバー用ソケット１をＴ形作業工具１５のソケット部に取り付けることによりロング（長）ソケットとして利用できる場合を示している。この作業工具１５は、ソケットレンチ機能とドライバー機能とを併有する公知のもので、両端部に径の異なったソケット部１６，１７が形成されたソケット１８を有し、このソケット１８は、レンチ用ラチェット機構１９を介してソケットアーム２０に連結され、このアーム２０には、ドライバー用ラチェット機構（図示せず）を介してドライバービットホルダー２１が連結され、このホルダー２１にはドライバービットが着脱自在に挿着できるようになっている。径大ソケット部１６及び径小ソケット部１７はそれぞれ内周が多角孔に形成されていて、径大ソケット部１６には本発明に係るドライバー用ソケット１の径大ソケット部３が、また径小ソケット部１７には同ドライバー用ソケット１の径小ソケット部４がそれぞれ回転不能に内嵌合できるようになっている。
【００３１】
しかして、ドライバー用ソケット１の径小ソケット部４を使用する場合には、図７及び図８のそれぞれ左側に図示するように、当該ソケット１の径大ソケット部３をＴ形作業工具１５の径大ソケット部１６に内嵌合すればよく、またソケット１の径大ソケット部３を使用する場合には、図７及び図８のそれぞれ右側に図示するように、ソケット１の径小ソケット部４をＴ形作業工具１５の径小ソケット部１７に内嵌合すればよい。従って、このようなロングソケットとしての使用は、締め付けたり取り外したりするナットやボルト頭が奥まった場所に位置している場合に非常に便利である。
【００３２】
本発明のドライバー用ソケット１は、上記のようなＴ形作業工具１５に限らず、他の種々のソケットレンチのソケットに適用して、ロングソケットとして利用できるものである。
【００３３】
図９は、例えば電気ケーブル配線用の配管２２，２２の端部相互を短管状カップリング２３で連結する際に、配管２２の端部に外嵌合させたカップリング２３を配管２２に固定する固定用ボルト２４の捩じ切り作業に使用されるドライバー用ソケット１の使用例を示している。即ち、このボルト２４には首部に捩じ切り用の切欠部ｓが形成してあって、ボルト２４をねじ込んでカップリング２３を配管２２に固定し終えた後、配管２２の表面側に突出して不要な突起部となるボルト２４の頭部側２４ａを除去するために、ボルト２４に捩じ切りトルクを加えてその頭部側２４ａを捩じ切り切除する作業が行われる。
【００３４】
上記のようなボルト２４の捩じ切り作業を従来のソケットレンチで行う場合には、ボルト２４に捩じ切りトルクを加えて頭部側２４ａを捩じ切ったとき、ボルト頭ｈがレンチのソケット部に嵌まり込んで外れなくなることが多々ある。このような場合に、本発明のドライバー用ソケット１を使用することによって、ソケット部に嵌まり込んだボルト頭ｈを容易に取り出すことができる。図１０の（１）〜（３）は、ボルト２４の締め込み操作、捩じ切り操作及びボルト頭部側２４ａの取り出し操作を示している。
【００３５】
即ち、図１０の（１）に示すように、ドライバービット１１に外嵌したドライバー用ソケット１のソケット部４をこのボルト２４の頭部ｈに嵌合し、ハンドル１２を回してボルト２４を配管２２側にねじ込み、カップリング２３を配管２２に固定し終えた後、ハンドル１２を更に強く回してボルト２４に捩じ切りトルクを与えることにより、同図の（２）に示すように頭部側２４ａを捩じ切ってねじ込み部側２４ｂから切り離す。その後、ドライバー用ソケット１を一方ので保持した状態で他方の手でドライバー１０のハンドル１２を押動するか、あるいはハンマー等で叩くことによって、ソケット部４に嵌まり込んだボルト頭部側２４ａを同図の（３）のように押し出して取り出すことができる。
【図面の簡単な説明】
【００３６】
【図１】ドライバーを構成するドライバービット及びハンドルと、そのドライバービットに取り付けられる本発明のドライバー用ソケットとを示す平面図である。
【図２】（Ａ）は各ソケット部が六角形であるドライバー用ソケットの外観斜視図、（Ｂ）は各ソケット部が十二角形であるドライバー用ソケットの外観斜視図である。
【図３】ドライバー用ソケットの縦断正面図である。
【図４】図３のＸ−Ｘ線拡大断面図である。
【図５】（Ａ）はドライバー用ソケットの径大ソケット部を使用する場合のドライバー用ソケットの使用状態を示す平面図、（Ｂ）は径小ソケット部を使用する場合のドライバー用ソケットの使用状態を示す平面図である。
【図６】ドライバー用ソケットの他の実施形態の縦断正面図である。
【図７】ドライバー用ソケットをＴ形ソケットレンチに取り付けて使用する場合の説明斜視図である。
【図８】図７の場合のＴ形ソケットレンチ及びソケットの取り付け状態を示す正面図である。
【図９】ドライバー用ソケットによるボルトの捩じ切り作業の例を示す斜視図である。
【図１０】（１）〜（３）は、ボルトの締め込み操作、捩じ切り操作及びボルト頭部側の取り出し操作を示す説明図である。
【符号の説明】
【００３７】
１ ドライバー用ソケット
２ ソケット本体
３ ソケット部
４ ソケット部
５ 係合手段
５Ａ 係合手段
６ 窓
７ 球体
８ ばね
１０ ドライバー
１１ ドライバービット
１１ａ ドライバービットの十字形端部
１１ｂ ドライバービットの係合用凹部
１２ ハンドル
２５ スリーブ
２６ 突起部
【図１】
2007190677.tif 000003
【図２】
2007190677.tif 000004
【図３】
2007190677.tif 000005
【図４】
2007190677.tif 000006
【図５】
2007190677.tif 000007
【図６】
2007190677.tif 000008
【図７】
2007190677.tif 000009
【図８】
2007190677.tif 000010
【図９】
2007190677.tif 000011
【図１０】
2007190677.tif 000012
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
ドライバービットの外周に沿って軸方向に移動可能で且つドライバービットから抜き出し可能であるが回転不能なソケット本体をドライバービットに外嵌合し、ソケット本体の両端部にはソケット本体の穴径より大きな内径とし、内径の互いに異なったソケット部を形成し、ソケット本体の長手方向中央部に、ドライバービットの外周に形成した係合用凹部に係嵌可能な係合手段を設けて、各ソケット部が使用可能な位置でソケット本体をドライバービットに保持するようにしてなるドライバー用ソケット。
【請求項２】
係合手段は、ソケット本体の長手方向中央部に設けた窓に挿入配置された球体と、球体を窓から内方へ突入させてドライバービットの係合用凹部に係嵌させるように付勢するばねとからなる請求項１に記載のドライバー用ソケット。
【請求項３】
係合手段は、ソケット本体の長手方向中央部に設けた窓に挿入配置された球体と、球体を窓から内方へ押圧突入させてドライバービットの係合用凹部に係嵌させるようソケット本体に軸方向に摺動可能に嵌合したスリーブとからなる請求項１に記載のドライバー用ソケット。
【請求項４】
ソケット本体の両端ソケット部の外周を正多角形状に形成すると共に、両端ソケット部の外径を互いに異なった径に形成してなる請求項１〜３の何れかに記載のドライバー用ソケット。
【手続補正２】
【補正対象書類名】明細書
【補正対象項目名】０００４
【補正方法】変更
【補正の内容】
【０００４】
請求項１に係る発明のドライバー用ソケット１は、ドライバービット１１の外周に沿って軸方向に移動可能で且つドライバービット１１から抜き出し可能であるが回転不能なソケット本体２をドライバービット１１に外嵌合し、ソケット本体２の両端部にはソケット本体２の穴径より大きな内径とし、内径の互いに異なったソケット部３，４を形成し、ソケット本体２の長手方向中央部に、ドライバービット１１の外周に形成した係合用凹部１１ｂに係嵌可能な係合手段５，５Ａを設けて、各ソケット部３，４が使用可能な位置でソケット本体２をドライバービット１１に保持するようにしてなるものである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
請求項２は、請求項３に記載のドライバー用ソケット１において、係合手段５は、ソケット本体２の長手方向中央部に設けた窓６に挿入配置された球体７と、球体７を窓６から内方へ突入させてドライバービット１１の係合用凹部１１ｂに係嵌させるように付勢するばね８とからなるものである。
【手続補正６】
【補正対象書類名】明細書
【補正対象項目名】０００８
【補正方法】変更
【補正の内容】
【０００８】
請求項３は、請求項３に記載のドライバー用ソケット１において、係合手段５Ａは、ソケット本体２の長手方向中央部に設けた窓６に挿入配置された球体７と、球体７を窓６から内方へ押圧突入させてドライバービット１１の係合用凹部１１ｂに係嵌させるようソケット本２に軸方向に摺動可能に嵌合したスリーブ２５とからなるものである。
【手続補正７】
【補正対象書類名】明細書
【補正対象項目名】０００９
【補正方法】変更
【補正の内容】
【０００９】
請求項４は、請求項１〜５の何れかに記載のドライバー用ソケット１において、ソケット本体２の両端ソケット部３，４の外周を正多角形状に形成すると共に、両端ソケット部３，４の外径を互いに異なった径に形成したものである。
【手続補正８】
【補正対象書類名】明細書
【補正対象項目名】００１０
【補正方法】削除
【補正の内容】
【手続補正９】
【補正対象書類名】明細書
【補正対象項目名】００１４
【補正方法】変更
【補正の内容】
【００１４】
また、ソケット本体をドライバービットに外嵌合させるだけで、そのドライバーをソケットレンチとして活用することができると共に、ソケット本体の両端部に形成した内径の異なる両ソケット部によって大小２種類のボルト・ナットサイズに適用させることができる。
【手続補正１０】
【補正対象書類名】明細書
【補正対象項目名】００１５
【補正方法】変更
【補正の内容】
【００１５】
さらに、ソケット本体に、ドライバービットの外周に形成した係合用凹部に係嵌可能な係合手段を設けることによって、各ソケット部が使用可能な位置でソケット本体をドライバービットに保持でき、それにより使用時にソケット本体が移動せず、作業がし易くなり、また持ち運びの際にソケットがドライバービットから脱落しないため、ソケットを常時ドライバービットに取り付けておくことができ、携帯性が良い。
【手続補正１１】
【補正対象書類名】明細書
【補正対象項目名】００１６
【補正方法】変更
【補正の内容】
【００１６】
請求項２に記載のように、係合手段が、ソケット本体に設けた窓に挿入配置された球体と、球体を窓から内方へ突入させてドライバービットの係合用凹部に係嵌させるように付勢するばねとからなるものによれば、ソケット本体をドライバービット上の所定位置に確実に保持できると共に、構成が簡単で、製作が容易となる。
【手続補正１２】
【補正対象書類名】明細書
【補正対象項目名】００１７
【補正方法】変更
【補正の内容】
【００１７】
請求項３に記載のように、係合手段は、ソケット本体の長手方向中央部に設けた窓に挿入配置された球体と、球体を窓から内方へ押圧突入させてドライバービットの係合用凹部に係嵌させるようソケット本体に軸方向に摺動可能に嵌合したスリーブとからなるものによれば、ソケット本体をドライバービット上の所定位置に確実に保持できると共に、スリーブを摺動操作することによって軽くソケット本体をドライバービットから移動させることができる。
【手続補正１３】
【補正対象書類名】明細書
【補正対象項目名】００１８
【補正方法】変更
【補正の内容】
【００１８】
請求項４に記載のように、ソケット本体の両端ソケット部の外周を正多角形状に形成すると共に、両端ソケット部の外径を互いに異なった径に形成した場合には、このドライバー用ソケットのソケット部を、一般に使用されるソケットレンチのソケット部に内嵌することよって、ロング（長）ソケットとして活用するでき、締め付けたり取り外したりするナットやボルト頭が奥まった場所に位置している場合に便利である上、このソケットの両ソケット部をそれぞれ内径の異なったソケットレンチのソケット部に内嵌できるから、上記両ソケット部によって２種類のボルト・ナットサイズに適用させることができる。
【手続補正１４】
【補正対象書類名】明細書
【補正対象項目名】００１９
【補正方法】削除
【補正の内容】